【手続補正書】
【提出日】平成17年10月5日(2005.10.5)
【手続補正１】
【補正対象書類名】特許請求の範囲
【補正対象項目名】全文
【補正方法】変更
【補正の内容】
【特許請求の範囲】
【請求項１】
端末機器に機器認証を要するサービスを提供する場合に、前記端末機器に第１の振り分けサーバへの接続情報を送信し、前記端末機器から認証結果を受信するサービスサーバと、
端末機器から第１の振り分け情報を受信し、当該第１の振り分け情報に対応する第２の振り分けサーバへの接続情報を送信する第１の振り分けサーバと、
端末機器から第２の振り分け情報を受信し、当該第２の振り分け情報に対応する認証サーバへの接続情報を送信する第２の振り分けサーバと、
端末機器から認証情報を受信して機器認証し、認証結果を前記端末機器に送信する認証サーバと、
から構成されたことを特徴とする端末機器認証システム。
【請求項２】
請求項１に記載の端末機器認証システムでサービスサーバが提供するサービスを利用する端末機器であって、
前記サービスサーバから、第１の振り分けサーバへの接続情報を受信する第１の受信手段と、
前記第１の振り分けサーバに、前記第１の受信手段で受信した接続情報を用いて接続して第１の振り分け情報を送信する第１の送信手段と、
前記第１の振り分けサーバから、前記送信した第１の振り分け情報に対応した第２の振り分けサーバへの接続情報を受信する第２の受信手段と、
前記第２の振り分けサーバに、前記第２の受信手段で受信した接続情報を用いて接続して第２の振り分け情報を送信する第２の送信手段と、
前記第２の振り分けサーバから、前記送信した第２の振り分け情報に対応した認証サーバへの接続情報を受信する第３の受信手段と、
前記認証サーバに、前記第３の受信手段で受信した接続情報を用いて接続して認証情報を送信する認証情報送信手段と、
前記認証情報送信手段で送信した認証情報による認証結果を前記認証サーバから受信する認証結果受信手段と、
前記認証結果受信手段で受信した認証結果を前記サービスサーバに送信する認証結果送信手段と、
を具備したことを特徴とする端末機器。
【請求項３】
請求項１に記載の端末機器認証システムで端末機器に第２の振り分けサーバへの接続情報を提供する第１の振り分けサーバであって、
端末機器からの接続を受け付け、前記端末機器から第１の振り分け情報を受信する受信手段と、
前記受信した第１の振り分け情報に対応する第２の振り分けサーバへの接続情報を前記端末機器に送信する送信手段と、
を具備したことを特徴とする第１の振り分けサーバ。
【請求項４】
端末機器に機器認証を要するサービスを提供する場合に、前記端末機器から振り分け情報を受信し、前記受信した振り分け情報を用いて振り分けシステムから認証サーバへの接続情報を受信し、前記受信した接続情報を前記端末機器に送信し、前記認証サーバでの認証結果を前記端末機器から受信するサービスサーバと、
前記サービスサーバから前記振り分け情報を受信し、前記受信した振り分け情報に対応する認証サーバへの接続情報を前記サービスサーバに送信する前記振り分けシステムと、
前記端末機器から認証情報を受信して前記端末機器の機器認証を行い、前記機器認証の認証結果を前記端末機器に送信する前記認証サーバと、
から構成されたことを特徴とする端末機器認証システム。
【請求項５】
請求項４に記載の端末機器認証システムでサービスサーバに認証サーバへの接続情報を提供する振り分けシステムであって、
サービスサーバから振り分け情報を受信する振り分け情報受信手段と、
前記受信した振り分け情報に対応する認証サーバへの接続情報を送信する接続情報送信手段と、
を具備したことを特徴とする振り分けシステム。
【請求項６】
請求項４に記載の端末機器認証システムで端末機器にサービスを提供するサービスサーバであって、
端末機器から振り分け情報を受信する振り分け情報受信手段と、
前記受信した振り分け情報を振り分けシステムに送信する振り分け情報送信手段と、
前記送信した振り分け情報に対応する認証サーバへの接続情報を前記振り分けシステムから受信する接続情報受信手段と、
前記受信した接続情報を前記端末機器に送信する接続情報送信手段と、
を具備したことを特徴とするサービスサーバ。
【請求項７】
前記振り分け情報は、第１の振り分け情報と、第２の振り分け情報から構成され、
前記振り分けシステムは、
サービスサーバから前記第１の振り分け情報を受信し、当該第１の振り分け情報に対応する第２の振り分けサーバへの接続情報を前記サービスサーバに送信する第１の振り分けサーバと、
サービスサーバから前記第２の振り分け情報を受信し、当該第２の振り分け情報に対応する認証サーバへの接続情報を前記サービスサーバに送信する第２の振り分けサーバと、
から構成されたことを特徴とする請求項５に記載の振り分けシステム。
【請求項８】
請求項７に記載の振り分けシステムから認証サーバへの接続情報を受信するサービスサーバであって、
端末機器から第１の振り分け情報と、第２の振り分け情報を受信する振り分け情報受信手段と、
第１の振り分けサーバに接続し、前記受信した第１の振り分け情報を前記第１の振り分けサーバに送信する第１の送信手段と、
前記第１の振り分けサーバから、前記送信した第１の振り分け情報に対応する前記第２の振り分けサーバへの接続情報を受信する第１の受信手段と、
前記第２の振り分けサーバに、前記第１の受信手段で受信した接続情報を用いて接続して前記第２の振り分け情報を送信する第２の送信手段と、
前記第２の振り分けサーバから、前記送信した第２の振り分け情報に対応する前記認証サーバへの接続情報を受信する第２の受信手段と、
前記第２の受信手段で受信した接続情報を前記端末機器に送信する接続情報送信手段と、
を具備したことを特徴とするサービスサーバ。
【請求項９】
請求項７に記載の振り分けシステムでサービスサーバに第２の振り分けサーバへの接続情報を提供する第１の振り分けサーバであって、
サービスサーバから第１の振り分け情報を受信する受信手段と、
前記受信した第１の振り分け情報に対応する第２の振り分けサーバへの接続情報を送信する送信手段と、
を具備したことを特徴とする第１の振り分けサーバ。
【請求項１０】
請求項７に記載の振り分けシステムでサービスサーバに認証サーバへの接続情報を提供する第２の振り分けサーバであって、
サービスサーバから第２の振り分け情報を受信する受信手段と、
前記受信した第２の振り分け情報に対応する認証サーバへの接続情報を送信する送信手段と、
を具備したことを特徴とする第２の振り分けサーバ。
【請求項１１】
請求項１に記載の端末機器認証システムでサービスサーバが提供するサービスをコンピュータで利用する端末機器方法であって、
前記コンピュータは、第１の受信手段と、第１の送信手段と、第２の受信手段と、第２の送信手段と、第３の受信手段と、認証情報送信手段と、認証結果受信手段と、認証結果送信手段と、を具備し、
前記サービスサーバから、第１の振り分けサーバへの接続情報を前記第１の受信手段で受信する第１の受信ステップと、
前記第１の振り分けサーバに、前記第１の受信ステップで受信した接続情報を用いて接続して第１の振り分け情報を前記第１の送信手段で送信する第１の送信ステップと、
前記第１の振り分けサーバから、前記送信した第１の振り分け情報に対応した第２の振り分けサーバへの接続情報を前記第２の受信手段で受信する第２の受信ステップと、
前記第２の振り分けサーバに、前記第２の受信ステップで受信した接続情報を用いて接続して第２の振り分け情報を前記第２の送信手段で送信する第２の送信ステップと、
前記第２の振り分けサーバから、前記送信した第２の振り分け情報に対応した認証サーバへの接続情報を前記第３の受信手段で受信する第３の受信ステップと、
前記認証サーバに、前記第３の受信ステップで受信した接続情報を用いて接続して認証情報を前記認証情報送信手段で送信する認証情報送信ステップと、
前記認証情報送信ステップで送信した認証情報による認証結果を前記認証結果受信手段で前記認証サーバから受信する認証結果受信ステップと、
前記認証結果受信ステップで受信した認証結果を前記サービスサーバに前記認証結果送信手段で送信する認証結果送信ステップと、
から構成されたことを特徴とする端末機器方法。
【請求項１２】
請求項１に記載の端末機器認証システムでサービスサーバが提供するサービスを利用するコンピュータで構成された端末機器において、
前記サービスサーバから、第１の振り分けサーバへの接続情報を受信する第１の受信機能と、
前記第１の振り分けサーバに、前記第１の受信機能で受信した接続情報を用いて接続して第１の振り分け情報を送信する第１の送信機能と、
前記第１の振り分けサーバから、前記送信した第１の振り分け情報に対応した第２の振り分けサーバへの接続情報を受信する第２の受信機能と、
前記第２の振り分けサーバに、前記第２の受信機能で受信した接続情報を用いて接続して第２の振り分け情報を送信する第１の送信機能と、
前記第２の振り分けサーバから、前記送信した第２の振り分け情報に対応した認証サーバへの接続情報を受信する第３の受信機能と、
前記認証サーバに、前記第３の受信機能で受信した接続情報を用いて接続して認証情報を送信する認証情報送信機能と、
前記認証情報送信機能で送信した認証情報による認証結果を前記認証サーバから受信する認証結果受信機能と、
前記認証結果受信機能で受信した認証結果を前記サービスサーバに送信する認証結果送信機能と、
を実現する端末機器プログラム。
【請求項１３】
前記第３の受信手段で受信した認証サーバへの接続情報を記憶する接続情報記憶手段と、
前記サービスサーバから前記第１の振り分けサーバへの接続情報を受信した場合に前記接続情報記憶手段で前記接続情報を記憶しているか否かを確認する確認手段と、
を具備し、
前記確認手段で前記接続情報が記憶されていることが確認された場合、前記認証情報送信手段は、前記記憶されている接続情報を用いて前記認証サーバに接続して認証情報を送信することを特徴とする請求項２に記載の端末機器。
【請求項１４】
前記認証情報送信手段は、前記接続情報記憶手段で記憶している前記接続情報を用いて前記認証サーバに接続できなかった場合、前記第１の受信手段で受信した接続情報を元に、前記第１の送信手段、前記第２の受信手段、前記第２の送信手段、及び前記第３の受信手段を用いて取得される認証サーバの接続情報を用いて前記認証サーバに接続して認証情報を送信し、
前記接続情報記憶手段は、前記取得した認証サーバへの接続情報を用いて、記憶してある接続情報を更新することを特徴とする請求項１３に記載の端末機器。
【手続補正２】
【補正対象書類名】明細書
【補正対象項目名】発明の名称
【補正方法】変更
【補正の内容】
【発明の名称】端末機器認証システム、端末機器、第１の振り分けサーバ、振り分けシステム、サービスサーバ、第２の振り分けサーバ、端末機器方法、及び端末機器プログラム
【手続補正３】
【補正対象書類名】明細書
【補正対象項目名】００１６
【補正方法】変更
【補正の内容】
【００１６】
本発明は、前記目的を達成するために、端末機器に機器認証を要するサービスを提供する場合に、前記端末機器に第１の振り分けサーバへの接続情報を送信し、前記端末機器から認証結果を受信するサービスサーバと、端末機器から第１の振り分け情報を受信し、当該第１の振り分け情報に対応する第２の振り分けサーバへの接続情報を送信する第１の振り分けサーバと、端末機器から第２の振り分け情報を受信し、当該第２の振り分け情報に対応する認証サーバへの接続情報を送信する第２の振り分けサーバと、端末機器から認証情報を受信して機器認証し、認証結果を前記端末機器に送信する認証サーバと、から構成されたことを特徴とする端末機器認証システムを提供する（第１の構成）。
また、本発明は、第１の構成の端末機器認証システムでサービスサーバが提供するサービスを利用する端末機器が、前記サービスサーバから、第１の振り分けサーバへの接続情報を受信する第１の受信手段と、前記第１の振り分けサーバに、前記第１の受信手段で受信した接続情報を用いて接続して第１の振り分け情報を送信する第１の送信手段と、前記第１の振り分けサーバから、前記送信した第１の振り分け情報に対応した第２の振り分けサーバへの接続情報を受信する第２の受信手段と、前記第２の振り分けサーバに、前記第２の受信手段で受信した接続情報を用いて接続して第２の振り分け情報を送信する第２の送信手段と、前記第２の振り分けサーバから、前記送信した第２の振り分け情報に対応した認証サーバへの接続情報を受信する第３の受信手段と、前記認証サーバに、前記第３の受信手段で受信した接続情報を用いて接続して認証情報を送信する認証情報送信手段と、前記認証情報送信手段で送信した認証情報による認証結果を前記認証サーバから受信する認証結果受信手段と、前記認証結果受信手段で受信した認証結果を前記サービスサーバに送信する認証結果送信手段と、を具備するように構成することができる（第２の構成）。
また、本発明は、第１の構成の端末機器認証システムで端末機器に第２の振り分けサーバへの接続情報を提供する第１の振り分けサーバが、端末機器からの接続を受け付け、前記端末機器から第１の振り分け情報を受信する受信手段と、前記受信した第１の振り分け情報に対応する第２の振り分けサーバへの接続情報を前記端末機器に送信する送信手段と、を具備するように構成することができる（第３の構成）。
また、本発明は、端末機器に機器認証を要するサービスを提供する場合に、前記端末機器から振り分け情報を受信し、前記受信した振り分け情報を用いて振り分けシステムから認証サーバへの接続情報を受信し、前記受信した接続情報を前記端末機器に送信し、前記認証サーバでの認証結果を前記端末機器から受信するサービスサーバと、前記サービスサーバから前記振り分け情報を受信し、前記受信した振り分け情報に対応する認証サーバへの接続情報を前記サービスサーバに送信する前記振り分けシステムと、前記端末機器から認証情報を受信して前記端末機器の機器認証を行い、前記機器認証の認証結果を前記端末機器に送信する前記認証サーバと、から構成されたことを特徴とする端末機器認証システムを提供することができる（第４の構成）。
また、本発明は、第４の構成の端末機器認証システムでサービスサーバに認証サーバへの接続情報を提供する振り分けシステムが、サービスサーバから振り分け情報を受信する振り分け情報受信手段と、前記受信した振り分け情報に対応する認証サーバへの接続情報を送信する接続情報送信手段と、を具備するように構成することができる（第５の構成）。
また、本発明は、第４の構成の端末機器認証システムで端末機器にサービスを提供するサービスサーバが、端末機器から振り分け情報を受信する振り分け情報受信手段と、前記受信した振り分け情報を振り分けシステムに送信する振り分け情報送信手段と、前記送信した振り分け情報に対応する認証サーバへの接続情報を前記振り分けシステムから受信する接続情報受信手段と、前記受信した接続情報を前記端末機器に送信する接続情報送信手段と、を具備するように構成することができる（第６の構成）。
また、本発明は、第５の構成の振り分けシステムが、前記振り分け情報は、第１の振り分け情報と、第２の振り分け情報から構成され、前記振り分けシステムは、サービスサーバから前記第１の振り分け情報を受信し、当該第１の振り分け情報に対応する第２の振り分けサーバへの接続情報を前記サービスサーバに送信する第１の振り分けサーバと、サービスサーバから前記第２の振り分け情報を受信し、当該第２の振り分け情報に対応する認証サーバへの接続情報を前記サービスサーバに送信する第２の振り分けサーバと、から構成されるように構成することができる（第７の構成）。
また、本発明は、第７の構成の振り分けシステムから認証サーバへの接続情報を受信するサービスサーバが、端末機器から第１の振り分け情報と、第２の振り分け情報を受信する振り分け情報受信手段と、第１の振り分けサーバに接続し、前記受信した第１の振り分け情報を前記第１の振り分けサーバに送信する第１の送信手段と、前記第１の振り分けサーバから、前記送信した第１の振り分け情報に対応する前記第２の振り分けサーバへの接続情報を受信する第１の受信手段と、前記第２の振り分けサーバに、前記第１の受信手段で受信した接続情報を用いて接続して前記第２の振り分け情報を送信する第２の送信手段と、前記第２の振り分けサーバから、前記送信した第２の振り分け情報に対応する前記認証サーバへの接続情報を受信する第２の受信手段と、前記第２の受信手段で受信した接続情報を前記端末機器に送信する接続情報送信手段と、を具備するように構成することができる（第８の構成）。
また、本発明は、第７の構成の振り分けシステムでサービスサーバに第２の振り分けサーバへの接続情報を提供する第１の振り分けサーバが、サービスサーバから第１の振り分け情報を受信する受信手段と、前記受信した第１の振り分け情報に対応する第２の振り分けサーバへの接続情報を送信する送信手段と、を具備するように構成することができる（第９の構成）。
また、本発明は、第７の構成の振り分けシステムでサービスサーバに認証サーバへの接続情報を提供する第２の振り分けサーバが、サービスサーバから第２の振り分け情報を受信する受信手段と、前記受信した第２の振り分け情報に対応する認証サーバへの接続情報を送信する送信手段と、を具備するように構成することができる（第１０の構成）。
また、本発明は、第１の構成の端末機器認証システムでサービスサーバが提供するサービスをコンピュータで利用する端末機器方法であって、前記コンピュータは、第１の受信手段と、第１の送信手段と、第２の受信手段と、第２の送信手段と、第３の受信手段と、認証情報送信手段と、認証結果受信手段と、認証結果送信手段と、を具備し、前記サービスサーバから、第１の振り分けサーバへの接続情報を前記第１の受信手段で受信する第１の受信ステップと、前記第１の振り分けサーバに、前記第１の受信ステップで受信した接続情報を用いて接続して第１の振り分け情報を前記第１の送信手段で送信する第１の送信ステップと、前記第１の振り分けサーバから、前記送信した第１の振り分け情報に対応した第２の振り分けサーバへの接続情報を前記第２の受信手段で受信する第２の受信ステップと、前記第２の振り分けサーバに、前記第２の受信ステップで受信した接続情報を用いて接続して第２の振り分け情報を前記第２の送信手段で送信する第２の送信ステップと、前記第２の振り分けサーバから、前記送信した第２の振り分け情報に対応した認証サーバへの接続情報を前記第３の受信手段で受信する第３の受信ステップと、前記認証サーバに、前記第３の受信ステップで受信した接続情報を用いて接続して認証情報を前記認証情報送信手段で送信する認証情報送信ステップと、前記認証情報送信ステップで送信した認証情報による認証結果を前記認証結果受信手段で前記認証サーバから受信する認証結果受信ステップと、前記認証結果受信ステップで受信した認証結果を前記サービスサーバに前記認証結果送信手段で送信する認証結果送信ステップと、から構成されたことを特徴とする端末機器方法を提供する。
また、本発明は、第１の構成の端末機器認証システムでサービスサーバが提供するサービスを利用するコンピュータで構成された端末機器において、前記サービスサーバから、第１の振り分けサーバへの接続情報を受信する第１の受信機能と、前記第１の振り分けサーバに、前記第１の受信機能で受信した接続情報を用いて接続して第１の振り分け情報を送信する第１の送信機能と、前記第１の振り分けサーバから、前記送信した第１の振り分け情報に対応した第２の振り分けサーバへの接続情報を受信する第２の受信機能と、前記第２の振り分けサーバに、前記第２の受信機能で受信した接続情報を用いて接続して第２の振り分け情報を送信する第１の送信機能と、前記第２の振り分けサーバから、前記送信した第２の振り分け情報に対応した認証サーバへの接続情報を受信する第３の受信機能と、前記認証サーバに、前記第３の受信機能で受信した接続情報を用いて接続して認証情報を送信する認証情報送信機能と、前記認証情報送信機能で送信した認証情報による認証結果を前記認証サーバから受信する認証結果受信機能と、前記認証結果受信機能で受信した認証結果を前記サービスサーバに送信する認証結果送信機能と、を実現する端末機器プログラムを提供する。
更に、本発明は、第２の構成に係る端末機器を、前記第３の受信手段で受信した認証サーバへの接続情報を記憶する接続情報記憶手段と、前記サービスサーバから前記第１の振り分けサーバへの接続情報を受信した場合に前記接続情報記憶手段で前記接続情報を記憶しているか否かを確認する確認手段と、を具備し、前記確認手段で前記接続情報が記憶されていることが確認された場合、前記認証情報送信手段は、前記記憶されている接続情報を用いて前記認証サーバに接続して認証情報を送信するように構成することもできる（第１１の構成）。
更に、第１１の構成の端末機器を、前記認証情報送信手段が、前記接続情報記憶手段で記憶している前記接続情報を用いて前記認証サーバに接続できなかった場合、前記第１の受信手段で受信した接続情報を元に、前記第１の送信手段、前記第２の受信手段、前記第２の送信手段、及び前記第３の受信手段を用いて取得される認証サーバの接続情報を用いて前記認証サーバに接続して認証情報を送信し、前記接続情報記憶手段が、前記取得した認証サーバへの接続情報を用いて、記憶してある接続情報を更新するように構成することもできる（第１２の構成）。